(57)【要約】　　　（修正有）【課題】寝たきりの老人、病人あるいは乳幼児等の排尿や排便の有を即時に介護者等に知らせ、環境汚染や皮膚病の発症、悪化等を防止する。【解決手段】本考案は感知装置に成る一対の検知シール、１枚の仕切り材及び一次ケーブルの一部をオムツに埋め込む；一次ケーブルを報知装置から引いた二次ケーブルとプラグで接続する；報知装置はカバー、チップ、発声器、発光器から成る。感知装置中の検知シールは導電性の塗料を塗布する不織布を使用する。仕切り材も一定の厚みの不織布を使用する。使用人が排尿、排便すると、オムツに埋め込んだ感知装置中の一対の検知シールの間の抵抗値が変化し、その変化信号は一次ケーブル、二次ケーブルを通じ、報知装置に伝わり、チップが計算処理した後、声、光信号を出す。【選択図】　図１
0003098404.tif 000002
【実用新案登録請求の範囲】
【請求項１】
本考案は仕切り材をはさむ一対の検知シールから成る感知装置とカバー、チップ、発声器、発光器、電源から成る報知装置と２本のケーブル及び紙オムツで構成する感知報知のオムツ。
【請求項２】
本考案は感知装置中の検知シールが、導電性の塗料を塗布する不織布を使用し、仕切り材も一定の厚みの不織布を使用する感知報知のオムツ。
【請求項３】
本考案は、使用人の排尿、排便を感知すると一対の検知シールの間の抵抗値が変化し、その変化信号が報知装置に伝わり、チップの計算処理により、声、光の信号を出す感知報知のオムツ。
【請求項４】
本考案は感知装置と一次ケーブルの一部はオムツの中に埋め込み、報知装置はオムツの外側に粘着テープで貼っても、使用人そばの適当な位置に置いてもいい感知報知のオムツ。
【請求項５】
本考案は感知装置と一次ケーブルの使用は１回限り、報知装置とと二次ケーブルは反復使用ができる感知報知のオムツ。
【考案の詳細な説明】
【０００１】
【考案の属する技術分野】
本考案はオムツ使用人の排尿、排便を自動的に感知し、報知する装置に関するものである。
【０００２】
【従来の技術】
従来の感知装置のオムツに埋め込んだ金属の検知端子で排尿、排便によりオムツが濡れると、水の導電性により電気回路に電流が通じ、感知信号を出す。
【０００３】
【考案解決しようとする課題】
寝たきりの老人、病人あるいは乳幼児等の排尿、排便の有を即時に介護者等に知らせ、環境汚染や皮膚病の発症、悪化等を防止する。
従来の感知報知のオムツに埋め込んだ金属の検知端子は使用人に異物感を感じさせる；肌に傷をつける危険性もある；水の導電性を利用して電気回路に電流が通じるのは誤報の可能性が高い。
【０００４】
【課題解決するための手段】
本考案の感知装置中の検知シールは導電性の塗料を塗布する不織布、仕切り材も不織布を使用するので、使用人に異物感を感じさせなく心地よく使用できるし、肌に傷をつける危険性もない。使用人が排尿や排便すると、オムツに埋め込んだ感知装置中の一対の検知シールの間の抵抗値が変化し、その変化信号は一次ケーブル、二次ケーブルを通じ、報知装置に伝わり、チップが計算処理した後、声、光信号を出し、介護者等に知らせ、環境汚染や皮膚病の発症、悪化等を防止する。誤報の可能性が極めて低い。したがって、従来の感知報知装置の課題を解決している。
【０００５】
【考案の実施の形態】
使用人が排尿や排便をしない時、オムツ６中の一対の検知シール１ａの間の抵抗値が一定する；使用人が排尿や排便をすると、オムツ６中の一対の検知シール１ａの間の抵抗値が変化する；その変化信号は一次ケーブル２、プラグ３、二次ケーブル４を通じ、報知装置５に伝わり、チップ５ｃにより計算処理した後、発声器５ｄあるいは発光器５ｅから報知信号を出す。
【０００６】
【実　施　例】
以下、添付図面にしたがって、本考案の感知報知のオムツによる実施例を説明する。感知装置１は導電性の塗料を塗布している一対の不織布の検知シール１ａとその間にはさんだ不織布の仕切り材１ｂから成る。検知シール１ａから引いた一次ケーブル２の一部を、上記の感知装置と一緒にオムツ６に埋め込み、一次ケーブル２を報知装置５から引いた二次ケーブル４とプラグ３で接続する。報知装置５はカバー５ａ、電源５ｂ、チップ５ｃ、発声器５ｄ、発光器５ｅ、コンデンサー５ｆ及びスイッチ５ｇから成る。
【０００７】
使用人が排尿や排便をすると、一対の検知シール１ａの間の抵抗値が変化し、その変化信号は一次ケーブル２、プラグ３、二次ケーブル４を通じ、報知装置５に伝わり、チップ５ｃにより計算処理した後、発声５ｄあるいは発光器５ｅから報知信号を出す。報知装置は図１のように粘着テープでオムツの外側に貼っても図４のように近くに置いてもいい。
【０００８】
【考案の効果】
本考案は声、光信号を利用し、介護者等の聴覚や視覚により使用人の排尿、排便の有を即時に判断できる。速やかなオムツ交換は環境汚染や皮膚病の発症、悪化等を防止できる。
本考案の感知装置中の一対の検知シール及び仕切り材は非金属の柔軟物を使用し、オムツに埋め込んでも異物感なく安全性も高い。
本考案は感知信号を受けた報知装置中のチップにより計算処理した後、声、光信号を出すので、誤報の可能性が極めて低い。
本考案の感知装置と一次ケーブルの使用は１回限り、オムツと一緒に処理できるので、便利しかも衛生。報知装置と２次ケーブルは反復使用ができる。
【図面の簡単な説明】
【図１】「図１は本考案の報知装置をオムツの外側に貼り付ける自動感知報知のオムツを示した正面図である。」
【図２】「図２は上記の貼り付け式の自動感知報知のオムツを示した平面図である。」
【図３】「図３は上記の貼り付け式の自動感知報知のオムツを示した側面図である。」
【図４】「図４は本考案の報知装置をオムツの近くに置く自動感知報知のオムツを示した正面図である。」
【図５】「図５は上記の近く置く式の自動感知報知のオムツを示した平面図である。」
【図６】「図６は上記の近く置く式の自動感知報知のオムツを示した側面図である。」
【図７】「図７は自動感知報知のオムツの電気回路図である。」
【符号の説明】
１　　　感知装置　　　　　　　　５ｂ　　電源
１ａ　　検知シール　　　　　　　５ｃ　　チップ
１ｂ　　仕切り材　　　　　　　　５ｄ　　発声器
２　　　一次ケーブル　　　　　　５ｅ　　発光器
３　　　プラグ　　　　　　　　　５ｆ　　コンデンサー
４　　　二次ケーブル　　　　　　５ｇ　　スイッチ
５　　　報知装置　　　　　　　　６　　　オムツ
５ａ　　カバー
【図１】
0003098404.tif 000003
【図２】
0003098404.tif 000004
【図３】
0003098404.tif 000005
【図４】
0003098404.tif 000006
【図５】
0003098404.tif 000007
【図６】
0003098404.tif 000008
【図７】
0003098404.tif 000009
【手続補正書】
【提出日】平成15年6月18日(2003.6.18)
【手続補正１】
【補正対象書類名】明細書
【補正対象項目名】全文
【補正方法】変更
【補正の内容】
【考案の詳細な説明】
【実用新案登録請求の範囲】
【請求項１】本考案は、仕切り材をはさむ一対の検知シールから成る感知装置と、チップ、発声器、発光器、電源及びそれらを包括するカバーから成る報知装置と、前記感知装置と前記報知装置を繋ぐ２本の一次ケーブルと２本の二次ケーブルで構成する自動感知報知装置付きオムツ。
【請求項２】前記感知装置中の検知シールは、導電性の塗料を塗布する不織布を使用し、仕切り材も所定の厚みの不織布を使用することを特徴とする請求項１記載の自動感知報知装置付きオムツ。
【請求項３】本考案は、装着者の排尿、排便を感知すると、一対の検知シールの間の抵抗値が変化し、その変化信号が報知装置に伝わり、チップの計算処理により、声、光の信号を出すことを特徴とする請求項１記載の自動感知報知装置付きオムツ。
【請求項４】本考案は、感知装置と２本の一次ケーブルの一部をオムツの中に埋め込み、報知装置はオムツの外側に粘着テープで貼るか、装着者の近傍の適当な位置に置くことを特徴とする請求項１記載の自動感知報知装置付きオムツ。
【請求項５】本考案は、感知装置と２本の一次ケーブルの使用は１回限りの使い捨て、報知装置と２本の二次ケーブルは反復使用ができることを特徴とする請求項１記載の自動感知報知装置付きオムツ。
【考案の詳細な説明】
【０００１】
【考案の属する技術分野】
本考案は、オムツの装着者の排尿、排便を自動的に感知し、報知する装置に関するものである。
【０００２】
【従来の技術】
従来の感知装置は、オムツに埋め込んだ金属の検知端子で排尿、排便により、オムツが濡れると、水の導電性により電気回路に電流が通じ、感知信号を出す。
【０００３】
【考案解決しようとする課題】
寝たきりの老人、病人或は乳幼児等の排尿、排便の有を即時に介護者等に知らせ、環境汚染や皮膚病の発症、悪化等を防止する。
従来の感知報知のオムツに埋め込んだ金属の検知端子は、装着者に異物感を感じさせる；肌に傷をつける危険性もある；水の導電性を利用して電気回路に電流が通じるのは、誤報の可能性が高い。
【０００４】
【課題解決するための手段】
本考案の感知装置中の検知シールは、導電性の塗料を塗布する不織布、仕切り材も不織布を使用するので、装着者に異物感を感じさせなく、心地よく装着できるし、肌に傷をつける危険性もない。装着者が排尿や排便すると、オムツに埋め込んだ感知装置中の一対の検知シールの間の抵抗値が変化し、その変化信号は２本の一次ケーブル、２本の二次ケーブルを通じ、報知装置に伝わり、チップが計算処理した後、声、光信号を出し、介護者等に知らせ、環境汚染や皮膚病の発症、悪化等を防止する。誤報の可能性が極めて低い。したがって、従来の感知報知装置の課題を解決している。
【０００５】
【考案の実施の形態】
装着者が、排尿や排便をしない時、オムツ６中の一対の検知シール１ａの間の抵抗値が所定する；使用人が排尿や排便をすると、オムツ６中の一対の検知シール１ａの間の抵抗値が変化する；その変化信号は２本の一次ケーブル２、プラグ３及び２本の二次ケーブル４を通じ、報知装置５に伝わり、チップ５ｃにより、計算処理した後、発声器５ｄ或は発光器５ｅから報知信号を出す。
【０００６】
【実　施　例】
以下、添付図面にしたがって、本考案の感知報知のオムツによる実施例を説明する。感知装置１は、導電性の塗料を塗布している一対の不織布の検知シール１ａと、その間に挟んだ不織布の仕切り材１ｂから成る。検知シール１ａから引いた２本の一次ケーブル２の一部を、上記の感知装置と一緒にオムツ６に埋め込み、２本の一次ケーブル２を、報知装置５から引いた２本の二次ケーブル４とプラグ３で接続する。報知装置５は、電源５ｂ、チップ５ｃ、発声器５ｄ、発光器５ｅ、コンデンサー５ｆ、スイッチ５ｇ及びそれらを包括するカバー５ａから成る。
【０００７】
装着者が、排尿や排便をすると、一対の検知シール１ａの間の抵抗値が変化し、その変化信号は、２本の一次ケーブル２、プラグ３及び２本の二次ケーブル４を通じ、報知装置５に伝わり、チップ５ｃにより計算処理した後、発声５ｄ或は発光器５ｅから報知信号を出す。報知装置は、図１のような粘着テープでオムツの外側に貼り付ける貼付式と図４のような装着者の近傍に置く外置式の二種類。
【０００８】
【考案の効果】
本考案は声、光信号を利用し、介護者等の聴覚や視覚により装着者の排尿、排便の有を即時に判断できる。速やかなオムツ交換は環境汚染や皮膚病の発症、悪化等を防止できる。
本考案の感知装置中の一対の検知シール及び仕切り材は、非金属の柔軟物を使用し、オムツに埋め込んでも異物感なく、安全性も高い。
本考案は、感知信号を受けた報知装置中のチップにより計算処理した後、声、光信号を出すので、誤報の可能性が極めて低い。
本考案の感知装置と２本の一次ケーブルの使用は、１回限り、オムツと一緒に処理できるので、便利しかも衛生。報知装置と２本の二次ケーブルは反復使用ができる。
【図面の簡単な説明】
【図１】「図１は、本考案の報知装置を粘着テープでオムツの外側に貼り付ける貼付式の自動感知報知装置付きオムツを示した正面図である。」
【図２】「図２は、上記貼付式自動感知報知装置付きオムツを示した平面図である。」
【図３】「図３は、上記貼付式自動感知報知装置付きオムツを示した側面図である。」
【図４】「図４は、本考案の報知装置をオムツの近くに置く外置式自動感知報知装置付きオムツを示した正面図である。」
【図５】「図５は上記外置式自動感知報知装置付きオムツを示した平面図である。」
【図６】「図６は上記外置式自動感知報知装置付きオムツを示した側面図である。」
【図７】「図７は自動感知報知装置付きオムツの電気回路図である。」
【符号の説明】
１　　　感知装置　　　　　　　　　　５ｂ　　電源
１ａ　　検知シール　　　　　　　　　５ｃ　　チップ
１ｂ　　仕切り材　　　　　　　　　　５ｄ　　発声器
２　　　一次ケーブル　　　　　　　　５ｅ　　発光器
３　　　プラグ　　　　　　　　　　　５ｆ　　コンデンサー
４　　　二次ケーブル　　　　　　　　５ｇ　　スイッチ
５　　　報知装置　　　　　　　　　　６　　　オムツ
５ａ　　カバー